(57)【要約】インターネット・プロトコル・テレビジョンＩＰＴＶシステムで広告を配布するシステムおよび方法が開示される。この方法は、ＩＰＴＶサーバで、ＩＰＴＶ加入者プロファイル・データに基づいてＩＰＴＶ加入者母集団から選択されたセグメントをターゲットとする広告クライアントからターゲット広告データを受諾すること、ターゲット広告データをビデオ・データに挿入すること、ＩＰＴＶサーバから、ＩＰＴＶ加入者母集団の選択されたセグメントのメンバに関連するクライアント装置にビデオ・データを送信すること、およびターゲット広告データを受信したターゲット・セグメントのメンバの数量を広告クライアントに報告することを含む。このシステムは、この方法を実施するＩＰＴＶシステム・プロセッサを含む。
2010500646.tif 000002
【特許請求の範囲】
【請求項１】
インターネット・プロトコル・テレビジョンＩＰＴＶシステムでターゲット広告データを配布する方法であって、
ＩＰＴＶサーバで、ＩＰＴＶ加入者プロファイル・データに基づいてＩＰＴＶ加入者母集団から選択されたセグメントをターゲットとする広告クライアントから前記ターゲット広告データを受諾するステップと、
前記ターゲット広告データをビデオ・データに挿入するステップと、
前記ＩＰＴＶサーバから、前記ＩＰＴＶ加入者母集団の前記選択されたセグメントのメンバに関連するクライアント装置に前記ビデオ・データを送信するステップと、
前記ターゲット広告データを受信したターゲット・セグメントのメンバの数量を前記広告クライアントに報告するステップと
を含む方法。
【請求項２】
前記加入者プロファイル・データが、行動データおよび人口統計データからなるグループから選択される請求項１に記載の方法。
【請求項３】
前記報告するステップが、前記ターゲット・セグメントのどれほどのメンバがＩＰＴＶチャネルを切り換えることなく前記ターゲット広告データを視聴したかを前記広告クライアントに報告するステップをさらに含む請求項１に記載の方法。
【請求項４】
前記報告するステップが、前記ターゲット広告データを受信した前記ターゲット・セグメントのメンバの数量と、ＩＰＴＶチャネル切換えが行われたターゲット広告データ配信中の時刻とを前記広告クライアントに報告するステップをさらに含む請求項１に記載の方法。
【請求項５】
前記報告するステップが、前記ターゲット・セグメントのどれほどのメンバが前記ターゲット広告データをホーム・ゾーン内で受信したか、およびＩＰＴＶターゲット・セグメントのどれほどのメンバが前記ターゲット広告データを移動ゾーン内で受信したかを前記広告クライアントに報告するステップをさらに含む請求項１に記載の方法。
【請求項６】
前記ターゲット・セグメントのどれほどのメンバが前記ターゲット広告データを受信したかを示す数量、前記ターゲット・セグメントのどれほどのメンバが前記ターゲット広告データをホーム・ゾーン内で受信したかを示す数量、前記ターゲット・セグメントのどれほどのメンバが前記ターゲット広告データを移動ゾーン内で受信したかを示す数量、前記ターゲット・セグメントのどれほどのメンバが前記ターゲット広告データ全体を前記ホーム・ゾーン内で視聴したかを示す数量、および前記ターゲット・セグメントのどれほどのメンバが前記ターゲット広告全体を前記移動ゾーン内で視聴したかを示す数量からなるグループから選択された数量に基づいて前記広告クライアントに課金するステップをさらに含む請求項１に記載の方法。
【請求項７】
前記プロファイル・データが、視聴中の番組と、視聴された時間の長さおよび視聴された時間帯と、受信された広告と、デジタル・ビデオ・レコーダＤＶＲに記録されたデータと、チャネル切換えの発生時刻と、ウェブサイト閲覧行動、Ｅメール、インターネットを介する電子的購入、テキスト・メッセージ交換、および電話呼出しに関して収集されたデータとを含む請求項１に記載の方法。
【請求項８】
前記広告データが、スーパー・ヘッドエンドに位置する広告サーバから提供され、前記広告データが、地域ヘッドエンドで前記ビデオ・データに挿入される請求項１に記載の方法。
【請求項９】
地域ヘッドエンドで課金量が計算され、課金のためにスーパー・ヘッドエンドのトラフィック課金サーバに送信される請求項６に記載の方法。
【請求項１０】
インターネット・プロトコル・テレビジョンＩＰＴＶシステムで広告を配布するシステムであって、
メモリと通信するプロセッサと、
前記プロセッサで実行される命令を含む前記メモリに格納されたコンピュータ・プログラムとを備え、前記コンピュータ・プログラムが、
ＩＰＴＶサーバで、ＩＰＴＶ加入者プロファイル・データに基づいてＩＰＴＶ加入者母集団から選択されたセグメントをターゲットとする広告クライアントからターゲット広告データを受諾する命令と、前記ターゲット広告データをビデオ・データに挿入する命令と、前記ＩＰＴＶサーバから、前記ＩＰＴＶ加入者母集団の前記選択されたセグメントのメンバに関連するクライアント装置にビデオ・データを送信する命令と、前記ターゲット広告データを受信した前記ターゲット・セグメントのメンバの数量を前記広告クライアントに報告する命令とをさらに含むシステム。
【請求項１１】
前記加入者プロファイル・データが、行動データおよび人口統計データからなるグループから選択される請求項１０に記載のシステム。
【請求項１２】
前記コンピュータ・プログラムにおいて、前記報告する命令が、前記ターゲット広告データからＩＰＴＶチャネルを切り換えることなく前記ターゲット広告データ全体を完全に視聴した前記ターゲット・セグメントのメンバの数量を前記広告クライアントに報告する命令をさらに含む請求項１０に記載のシステム。
【請求項１３】
前記コンピュータ・プログラムにおいて、前記報告する命令が、前記ターゲット広告データを受信した前記ターゲット・セグメントのメンバの数量と、ＩＰＴＶチャネル切換えが行われた前記ターゲット広告データ配信中の時刻とを前記広告クライアントに報告する命令をさらに含む請求項１０に記載のシステム。
【請求項１４】
前記コンピュータ・プログラムにおいて、前記報告する命令が、前記ターゲット・セグメントのどれほどのメンバが前記ターゲット広告データをホーム・ゾーン内で受信したか、およびＩＰＴＶターゲット・セグメントのどれほどのメンバが前記ターゲット広告データを移動ゾーン内で受信したかを前記広告クライアントに報告する命令をさらに含む請求項１０に記載のシステム。
【請求項１５】
前記コンピュータ・プログラムが、
前記ターゲット・セグメントのどれほどのメンバが前記ターゲット広告データを受信したかを示す数量、前記ターゲット・セグメントのどれほどのメンバが前記ターゲット広告データをホーム・ゾーン内で受信したかを示す数量、前記ターゲット・セグメントのどれほどのメンバが前記ターゲット広告データを移動ゾーン内で受信したかを示す数量、前記ターゲット・セグメントのどれほどのメンバが前記ターゲット広告データ全体を前記ホーム・ゾーン内で視聴したかを示す数量、および前記ターゲット・セグメントのどれほどのメンバが前記ターゲット広告全体を移動ゾーン内で視聴したかを示す数量からなるグループから選択された数量に基づいて前記広告クライアントに課金する命令をさらに含む請求項１０に記載のシステム。
【請求項１６】
前記プロファイル・データが、視聴中の番組を示すデータと、視聴された時間の長さおよび視聴された時間帯と、受信された広告と、デジタル・ビデオ・レコーダＤＶＲに記録されたデータと、チャネル切換えの発生時刻と、ウェブサイト閲覧行動、Ｅメール、インターネットを介する電子的購入、テキスト・メッセージ交換、および電話呼出しに関して収集されたデータとを含む請求項１０に記載のシステム。
【請求項１７】
広告サーバが、広告データを供給するスーパー・ヘッドエンドに位置し、前記広告データが、地域ヘッドエンドで前記ビデオ・データに挿入される請求項１０に記載のシステム。
【請求項１８】
課金量が地域ヘッドエンドで計算され、課金のためにスーパー・ヘッドエンドのトラフィック課金サーバに送信される請求項１５に記載のシステム。
【請求項１９】
インターネット・プロトコル・テレビジョンＩＰＴＶシステムで広告を配布するコンピュータ・プログラムが格納されたコンピュータ可読媒体であって、前記コンピュータ・プログラムが、ＩＰＴＶサーバで、ＩＰＴＶ加入者プロファイル・データに基づいてＩＰＴＶ加入者母集団から選択されたセグメントをターゲットとする広告クライアントからターゲット広告データを受諾する命令と、前記ターゲット広告データをビデオ・データに挿入する命令と、前記ＩＰＴＶサーバから、前記ＩＰＴＶ加入者母集団の前記選択されたセグメントのメンバに関連するクライアント装置に前記ビデオ・データを送信する命令と、前記ターゲット広告データを受信した前記ターゲット・セグメントのメンバの数量を前記広告クライアントに報告する命令とをさらに含む媒体。
【請求項２０】
前記加入者プロファイル・データが、行動データおよび人口統計データからなるグループから選択される請求項１９に記載の媒体。
【請求項２１】
前記コンピュータ・プログラムにおいて、前記報告する命令が、前記ターゲット広告データからＩＰＴＶチャネルを切り換えることなく前記ターゲット広告データ全体を完全に視聴した前記ターゲット・セグメントのメンバの数量を広告クライアントに報告する命令をさらに含む請求項１９に記載の媒体。
【請求項２２】
前記コンピュータ・プログラムにおいて、前記報告する命令が、前記ターゲット広告データを受信した前記ターゲット・セグメントのメンバの数量と、ＩＰＴＶチャネル切換えが行われた前記ターゲット広告データ配信中の時刻とを広告クライアントに報告する命令をさらに含む請求項１９に記載の媒体。
【請求項２３】
前記コンピュータ・プログラムにおいて、前記報告する命令が、前記ターゲット・セグメントのどれほどのメンバが前記ターゲット広告データをホーム・ゾーン内で受信したか、およびＩＰＴＶターゲット・セグメントのどれほどのメンバが前記ターゲット広告データを移動ゾーン内で受信したかを前記広告クライアントに報告する命令をさらに含む請求項１９に記載の媒体。
【請求項２４】
前記コンピュータ・プログラムが、
前記ターゲット・セグメントのどれほどのメンバが前記ターゲット広告データを受信したかを示す数量、前記ターゲット・セグメントのどれほどのメンバが前記ターゲット広告データをホーム・ゾーン内で受信したかを示す数量、前記ターゲット・セグメントのどれほどのメンバが前記ターゲット広告データを移動ゾーン内で受信したかを示す数量、前記ターゲット・セグメントのどれほどのメンバが前記ターゲット広告データ全体を前記ホーム・ゾーン内で視聴したかを示す数量、および前記ターゲット・セグメントのどれほどのメンバが前記ターゲット広告全体を前記移動ゾーン内で視聴したかを示す数量からなるグループから選択された数量に基づいて前記広告クライアントに課金する命令をさらに含む請求項１９に記載の媒体。
【請求項２５】
前記プロファイル・データが、視聴中の番組を示すデータと、視聴された時間の長さおよび視聴された時間帯と、受信された広告と、デジタル・ビデオ・レコーダＤＶＲに記録されたデータと、チャネル切換えの発生時刻と、ウェブサイト閲覧行動、Ｅメール、インターネットを介する電子的購入、テキスト・メッセージ交換、および電話呼出しに関して収集されたデータとを含む請求項１９に記載の媒体。
【請求項２６】
メモリ内のデータ構造であって、
クライアント装置識別子を示すデータを含めるためのクライアントＩＤフィールドと、
前記クライアント装置に関連するホーム・ゾーンに関する広告サーバを示すデータを含めるためのホーム・ゾーン・フィールドと、
前記クライアント装置に関連する移動ゾーンを示すデータを含めるための移動ゾーン・フィールドと、
前記ホーム・ゾーンに関連するホーム・サーバに送信する統計を作成するための、前記クライアント装置が広告から切り換えることなくどの広告を完全に受信したかを示すデータを格納する広告受信済みフィールドと
を含むデータ構造。
【発明の詳細な説明】
【技術分野】
【０００１】
本開示は、一般にはターゲット広告の配信に関する。
【背景技術】
【０００２】
広告主は、潜在的に、広告主の広告を受信側の全般的な母集団に無差別に放送するのではなく、広告主の広告をターゲット化することによって広告費用を節約することができる。それに対応して、ターゲット広告モデルを可能にする広告配布業者および供給業者は、広告主に対してターゲット広告オプションを提供することにより、広告インプレッション当たりの収入を向上させることができる。
【０００３】
ターゲット広告は、歴史的には、特定の都市などの、ターゲットとする広い地理領域に送られてきたものであり、その結果、地域的な広告主が、広告主の広告に反応する可能性が最も高いと広告主にみなされる広告受信側のみに達する。
【図面の簡単な説明】
【０００４】
【図１】インターネット・プロトコル・テレビジョンＩＰＴＶサービス・プロバイダ・ネットワーク・アーキテクチャの高レベルの例の例示的実施形態の略図である。
【図２】ＩＰＴＶシステム内の課金および広告サービス活動化アーキテクチャの概略的例示の例示的実施形態の略図である。
【図３】図２に示されるアーキテクチャに関して実施される機能の分解の例示的実施形態の略図である。
【図４】例示的実施形態で実施される機能を示す流れ図である。
【図５】ＩＰＴＶネットワーク内のホーム・ゾーンおよび移動ゾーンを示す例示的実施形態の略図である。
【図６】例示的実施形態で提供されるデータ構造の図である。
【図７】開示される機能を実施するマシンの例示的実施形態である。
【発明を実施するための形態】
【０００５】
特定の実施形態において、インターネット・プロトコル・テレビジョンＩＰＴＶシステムで広告を配布する方法が開示される。この方法は、ＩＰＴＶサーバで、ＩＰＴＶ加入者プロファイル・データに基づいてＩＰＴＶ加入者母集団から選択されたセグメントをターゲットとする広告クライアントからターゲット広告データを受諾すること、ターゲット広告データをビデオ・データに挿入すること、ＩＰＴＶサーバから、ＩＰＴＶ加入者母集団の選択されたセグメントのメンバに関連するクライアント装置にビデオ・データを送信すること、およびターゲット広告データを受信したターゲット・セグメントのメンバの数量を広告クライアントに報告することを含む。特定の実施形態の別の態様では、加入者プロファイル・データが、行動データおよび人口統計データからなるグループから選択される。特定の実施形態の別の態様では、報告することは、ターゲット・セグメントのどれほどのメンバがＩＰＴＶチャネルを切り換えることなくターゲット広告データ全体を完全に視聴したかを広告クライアントに報告することをさらに含む。特定の実施形態の別の態様では、報告することは、ターゲット広告データを受信したターゲット・セグメントのメンバの数量と、ＩＰＴＶチャネル切換えが行われたターゲット広告データ配信中の時刻とを広告クライアントに報告することをさらに含む。特定の実施形態の別の態様では、報告することは、ターゲット・セグメントのどれほどのメンバがターゲット広告データをホーム・ゾーン内で受信したか、およびＩＰＴＶターゲット・セグメントのどれほどのメンバがターゲット広告データを移動ゾーン内で受信したかを広告クライアントに報告することをさらに含む。
【０００６】
特定の実施形態の別の態様では、この方法は、ターゲット・セグメントのどれほどのメンバがターゲット広告データを受信したかを示す数量、ターゲット・セグメントのどれほどのメンバがターゲット広告データをホーム・ゾーン内で受信したかを示す数量、ターゲット・セグメントのどれほどのメンバがターゲット広告データを移動ゾーン内で受信したかを示す数量、ターゲット・セグメントのどれほどのメンバがターゲット広告データ全体をホーム・ゾーン内で視聴したかを示す数量、およびターゲット・セグメントのどれほどのメンバがターゲット広告全体を移動ゾーン内で視聴したかを示す数量からなるグループから選択された数量に基づいて広告クライアントに課金することをさらに含む。特定の実施形態の別の態様では、プロファイル・データは、視聴中の番組と、視聴された時間の長さおよび視聴された時間帯と、受信された広告と、デジタル・ビデオ・レコーダＤＶＲに記録されたデータと、チャネル切換えの発生時刻と、ウェブサイト閲覧行動、Ｅメール、インターネットを介する電子的購入、テキスト・メッセージ交換、および電話呼出しに関して収集されたデータとを含む。特定の実施形態の別の態様では、広告データが、スーパー・ヘッドエンドに位置する広告サーバから提供され、広告データが、地域ヘッドエンドでビデオ・データに挿入される。特定の実施形態の別の態様では、課金量が地域ヘッドエンドで計算され、課金のためにスーパー・ヘッドエンドのトラフィック課金サーバに送信される。
【０００７】
別の特定の実施形態では、インターネット・プロトコル・テレビジョンＩＰＴＶシステムで広告を配布するシステムが開示される。このシステムは、メモリと通信するプロセッサと、プロセッサで実行される命令を含むメモリに格納されたコンピュータ・プログラムとを含む。コンピュータ・プログラムは、ＩＰＴＶサーバで、ＩＰＴＶ加入者プロファイル・データに基づいてＩＰＴＶ加入者母集団から選択されたセグメントをターゲットとする広告クライアントからターゲット広告データを受諾する命令と、ターゲット広告データをビデオ・データに挿入する命令と、ＩＰＴＶサーバから、ＩＰＴＶ加入者母集団の選択されたセグメントのメンバに関連するクライアント装置にビデオ・データを送信する命令と、ターゲット広告データを受信したターゲット・セグメントのメンバの数量を広告クライアントに報告する命令とをさらに含む。特定の実施形態の別の態様では、加入者プロファイル・データが、行動データおよび人口統計データからなるグループから選択される。コンピュータ・プログラムでの特定の実施形態の別の態様では、報告する命令は、ターゲット広告データからＩＰＴＶチャネルを切り換えることなくターゲット広告データ全体を完全に視聴したターゲット・セグメントのメンバの数量を広告クライアントに報告する命令をさらに含む。コンピュータ・プログラムでの特定の実施形態の別の態様では、報告する命令は、ターゲット広告データを受信したターゲット・セグメントのメンバの数量と、ＩＰＴＶチャネル切換えが行われたターゲット広告データ配信中の時刻とを広告クライアントに報告する命令をさらに含む。コンピュータ・プログラムでの特定の実施形態の別の態様では、報告する命令は、ターゲット・セグメントのどれほどのメンバがターゲット広告データをホーム・ゾーン内で受信したか、およびＩＰＴＶターゲット・セグメントのどれほどのメンバがターゲット広告データを移動ゾーン内で受信したかを広告クライアントに報告する命令をさらに含む。特定の実施形態の別の態様では、コンピュータ・プログラムは、ターゲット・セグメントのどれほどのメンバがターゲット広告データを受信したかを示す数量、ターゲット・セグメントのどれほどのメンバがターゲット広告データをホーム・ゾーン内で受信したかを示す数量、ターゲット・セグメントのどれほどのメンバがターゲット広告データを移動ゾーン内で受信したかを示す数量、ターゲット・セグメントのどれほどのメンバがターゲット広告データ全体をホーム・ゾーン内で視聴したかを示す数量、およびターゲット・セグメントのどれほどのメンバがターゲット広告全体を移動ゾーン内で視聴したかを示す数量からなるグループから選択された数量に基づいて広告クライアントに課金する命令をさらに含む。特定の実施形態の別の態様では、プロファイル・データは、視聴中の番組を示すデータと、視聴された時間の長さおよび視聴された時間帯と、受信された広告と、デジタル・ビデオ・レコーダＤＶＲに記録されたデータと、チャネル切換えの発生時刻と、ウェブサイト閲覧行動、Ｅメール、インターネットを介する電子的購入、テキスト・メッセージ交換、および電話呼出しに関して収集されたデータとを含む。特定の実施形態の別の態様では、広告データが、スーパー・ヘッドエンドに位置する広告サーバから提供され、広告データが、地域ヘッドエンドでビデオ・データに挿入される。特定の実施形態の別の態様では、課金量が地域ヘッドエンドで計算され、課金のためにスーパー・ヘッドエンドのトラフィック課金サーバに送信される。
【０００８】
別の特定の実施形態では、インターネット・プロトコル・テレビジョンＩＰＴＶシステムで広告を配布するコンピュータ・プログラムが格納されたコンピュータ可読媒体が開示される。コンピュータ・プログラムは、ＩＰＴＶサーバで、ＩＰＴＶ加入者プロファイル・データに基づいてＩＰＴＶ加入者母集団から選択されたセグメントをターゲットとする広告クライアントからターゲット広告データを受諾する命令と、ターゲット広告データをビデオ・データに挿入する命令と、ＩＰＴＶサーバから、ＩＰＴＶ加入者母集団の選択されたセグメントのメンバに関連するクライアント装置にビデオ・データを送信する命令と、ターゲット広告データを受信したターゲット・セグメントのメンバの数量を広告クライアントに報告する命令とをさらに含む。特定の実施形態の別の態様では、加入者プロファイル・データが、行動データおよび人口統計データからなるグループから選択される。コンピュータ・プログラムでの特定の実施形態の別の態様では、報告する命令は、ターゲット広告データからＩＰＴＶチャネルを切り換えることなくターゲット広告データ全体を完全に視聴したターゲット・セグメントのメンバの数量を広告クライアントに報告する命令をさらに含む。コンピュータ・プログラムでの特定の実施形態の別の態様では、報告する命令は、ターゲット広告データを受信したターゲット・セグメントのメンバの数量と、ＩＰＴＶチャネル切換えが行われたターゲット広告データ配信中の時刻とを広告クライアントに報告する命令をさらに含む。コンピュータ・プログラムでの特定の実施形態の別の態様では、報告する命令は、ターゲット・セグメントのどれほどのメンバがターゲット広告データをホーム・ゾーン内で受信したか、およびＩＰＴＶターゲット・セグメントのどれほどのメンバがターゲット広告データを移動ゾーン内で受信したかを広告クライアントに報告する命令をさらに含む。特定の実施形態の別の態様では、コンピュータ・プログラムは、ターゲット・セグメントのどれほどのメンバがターゲット広告データを受信したかを示す数量、ターゲット・セグメントのどれほどのメンバがターゲット広告データをホーム・ゾーン内で受信したかを示す数量、ターゲット・セグメントのどれほどのメンバがターゲット広告データを移動ゾーン内で受信したかを示す数量、ターゲット・セグメントのどれほどのメンバがターゲット広告データ全体をホーム・ゾーン内で視聴したかを示す数量、およびターゲット・セグメントのどれほどのメンバがターゲット広告全体を移動ゾーン内で視聴したかを示す数量からなるグループから選択された数量に基づいて広告クライアントに課金する命令をさらに含む。特定の実施形態の別の態様では、プロファイル・データは、視聴中の番組を示すデータと、視聴された時間の長さおよび視聴された時間帯と、受信された広告と、デジタル・ビデオ・レコーダＤＶＲに記録されたデータと、チャネル切換えの発生時刻と、ウェブサイト閲覧行動、Ｅメール、インターネットを介する電子的購入、テキスト・メッセージ交換、および電話呼出しに関して収集されたデータとを含む。
【０００９】
別の特定の実施形態では、メモリ内のデータ構造が開示される。データ構造は、クライアント装置識別子を示すデータを含めるためのクライアントＩＤフィールドと、クライアント装置に関連するホーム・ゾーンに関する広告サーバを示すデータを含めるためのホーム・ゾーン・フィールドと、クライアント装置に関連する移動ゾーンを示すデータを含めるための移動ゾーン・フィールドと、ホーム・ゾーンに関連するホーム・サーバに送信する統計を作成するための、クライアント装置が広告から切り換えることなくどの広告を完全に受信したかを示すデータを格納する広告受信済みフィールドとを含む。
【００１０】
例示的実施形態は、ＩＰＴＶ加入者の家族全体のプロファイルまたは個々のＩＰＴＶ加入者プロファイルを調べるために分析することのできる閲覧者行動情報を収集する。加入者プロファイル（「プロファイル」）は、限定はしないが、加入登録プロセス中に加入者から収集されるプロファイル・データも含む。収集されるデータは、視聴中の番組と、視聴された時間の長さおよび視聴された時間帯と、受信された広告と、デジタル・ビデオ・レコーダＤＶＲに記録されたデータとを組み込むＩＰＴＶビデオ・データに関するどんなものでもよい。プロファイルはまた、チャネル切換えの発生時刻をも含み、それによってＩＰＴＶ  ＳＰが、ターゲット広告が視聴されたかどうか、すなわち別のチャネルに切り換えることなく受信されたかどうか、およびターゲット広告の配信中にチャネルが切り替わるかどうか、切換えが行われた時刻を判定することができる。切換え時刻により、クライアント装置の加入者がターゲット広告を含むチャネルから切り換えた時を広告クライアントが厳密に求めることが可能となる。切換え時刻は、ターゲット広告中に、閲覧者がチャネルを変更したために広告クライアントが閲覧者を「失った」時を広告クライアントが求める助けとなる。プロファイルはまた、ＩＰＴＶ加入者に関する行動データをも含む。行動データは、限定はしないが、ウェブサイト閲覧行動と、Ｅメールと、インターネットを介する電子的購入と、ＩＰＴＶネットワークまたは関連電話データ・システムを介するテキスト・メッセージ交換および電話呼出しとに関して収集されたデータを含む。
【００１１】
例えば、インターネットを介して加入者が新しいテレビジョンを購入することを調査している場合、この情報が収集され、加入者プロファイル内に保存される。加入者に関連する関連ＳＴＢ識別子またはクライアント装置識別子を含む加入者プロファイルが、ＩＰＴＶシステム内のデータベースに格納される。ＩＰＴＶネットワークは、こうしたデータをＩＰＴＶ加入者の母集団に関する行動統計の加入者プロファイル内に記録する。ＳＰは、加入者のＩＰＴＶ母集団に関する統計を、予想される広告クライアントに提示し、予想される広告クライアントは、加入者人口統計および／または行動特徴に基づいて、加入者のＩＰＴＶ母集団の特定のセグメントを選択することができる。次いで、広告クライアントは、ＩＰＴＶ加入者の特定のセグメントに関連するセット・トップ・ボックスＳＴＢのようなクライアント装置に対するビデオを介して、選択された行動統計および人口統計データを含む特定のユーザ・プロファイル特徴を有するＩＰＴＶ加入者母集団のセグメントを特定の広告のターゲットとすることができる。
【００１２】
特定の例示的実施形態は、行動に関する統計および人口統計データを含むＩＰＴＶ加入者プロファイルから導出されるユーザ識別プリファレンスに基づくリアル・タイム・ターゲット広告を可能にする。ユーザは、注文、選択、および受信するビデオ番組、購入する商品およびサービスへの関心にまで及ぶ好き嫌いを示すプロファイル・データを入力することができる。同様のターゲット化は、例示的実施形態が、ターゲット画面ポップアップ、ビデオなどを、ＩＰＴＶネットワークに接続されたクライアント装置のウェブ閲覧者に提供することを可能にする。
【００１３】
ここで図１を参照すると、図１は、ターゲット広告をサポートするＩＰＴＶアーキテクチャの例示的実施形態を示す。図１に示されるように、中央ビデオ・ヘッドエンドまたはＳＨＯ  １０１は、限定はしないが、広告サーバ／コンテンツ記憶装置１０７、トラフィックおよび課金システム１０８、販売提案システム１０９、ならびにエンコーダ・アプリケーション１１０を含む。広告顧客１１５によって制作された制作済み広告コンテンツ１１４が、ＳＨＯのエンコーダ・アプリケーションに供給される。ＳＨＯはターゲット広告コンテンツ１１４を符号化し、公衆または専用ＩＰネットワーク１０２を介して広告コンテンツをＩＰＴＶ加入者に配布する。地域ビデオ配布またはヘッドエンドＶＨＯ  １０３で、中央ビデオ・ヘッドエンドＳＨＯからのデータが、公衆または専用ＩＰネットワーク１０４を介して個々のＩＰＴＶ加入者に配布される。ＶＨＯは、限定はしないが、チャネル・コンテンツ・アプリケーション／サーバ１１１、ビデオ・キャッシュ・サーバ１１２、およびプロファイル／行動データベース１１３を含む。ＶＨＯまたはＳＨＯにプロファイル行動データベース１１３を格納することができる。例示的実施形態では、ユーザが、ＳＴＢ１０５上で受信されたＩＰＴＶデータを表示するＩＰＴＶテレビジョン１０６のモニタを閲覧するとき、加入者によるリモート・コントロールＲＣを介するＳＴＢへの入力がＩＰＴＶプロファイル／行動データベース１１３内の加入者プロファイル内に収集されるときに、ＩＰＴＶシステムは、チャネル閲覧およびチャネル変更発生データを監視する。広告クライアント１１５より、予想される広告クライアントは、ＩＰＴＶトラフィック管理オフィス１１６と共に働き、行動および人口統計データベースの広告スポット目録を購入する。広告トラフィック販売および管理１１６は、販売および提案システム１０９を使用して、サービス提案を生成し、行動広告販売を行い、販売情報をトラフィックおよび課金システム１０８に入力する。したがって、広告クライアントは、特定の人口統計、特定の行動、および／または特定の行動を示す特定の人口統計を有するＩＰＴＶ母集団セグメントをターゲットとする広告スポットを購入することができる。
【００１４】
次に図２を参照すると、図２は、ＩＰＴＶローカル広告挿入モデルの例示的実施形態を示す。広告クライアント２０１は、ＳＰ販売エージェントと連絡を取って、ローカル広告スポット目録を購入する。広告クライアントは、両者で合意されたローカル広告を流すためにＩＰＴＶ  ＳＰに支払いを行う（２０２）。ＩＰＴＶシステム内の広告トラフィック販売および管理モジュール２０３は、トラフィックおよび課金システムを使用して、サービス提案を生成し、ローカル広告販売を行い、販売情報をトラフィックおよび課金システムに入力する。電子データ中継インターフェースにより、クライアントの広告が実際に流された時、トラフィックおよび課金システムから広告クライアントへ送信するため「Ａｓ  Ｒｕｎ／Ｐｌａｙｅｄ」レポート２０４が示される。「販売および提案」システム２０５が広告トラフィック販売および管理提案によって使用され、広告クライアントに対するローカル広告提案および販売スポット目録が生成される。「トラフィックおよび課金」システム２０６は、ライブＴＶ番組スケジュールへのローカル広告挿入をスケジューリングするために、何が販売されたかに関する情報を取得する。「トラフィックおよび課金」システムは、提供するサービスに関して広告クライアント２０１にインボイスを送る。インボイス２０７は、広告クライアント２０１にメール送信される。サービス・プロバイダが、この請求情報を、サービス・プロバイダが同一のクライアントに送っている他の請求情報と統合したい場合、インボイス送信に関係する他の外部システムも存在することができる（統合課金）。
【００１５】
例示的実施形態では、ローカル広告または自宅広告２１１が、Ｍｏｖｉｎｇ  Ｐｉｃｔｕｒｅｓ  Ｅｘｐｅｒｔｓ  Ｇｒｏｕｐ  ４（ＭＰＥＧ４）フォーマットまたはＨ．２６４フォーマット２１０で符号化される。ローカル広告データを、広告クライアント２０１からテープまたは電子的形態で受信することができる。ライブまたはプログラムされたＴＶコンテンツがコンテンツ・サーバ２０８に取り入れられ、ライブまたはプログラムされたＴＶコンテンツは、いつ広告を挿入するかを広告サーバ２０９／スプライス装置２１３に知らせるのに使用されるキュー・トーン情報を含む。「トラフィックおよび課金」システム２０６は、広告挿入スケジュールを広告サーバ２０９に送信する。「トラフィックおよび課金」システム２０６は、広告挿入の実際の完了に関して広告サーバ２０６から情報を受信する。ＲＴＰヘッダが、「ＲＴＰデパケッタイザ２１２」を介して線形番組（ライブＴＶ）コンテンツ・パケットから除去される。ＭＰＥＧ４／Ｈ．２６４ライブＴＶコンテンツが、まだ影響を受けていない元のコマーシャルと共に閲覧するために消費者ＴＶ／セット・トップ・ボックスまで送信される。ローカル広告挿入ストリーム・スプライサ２１３は、キュー・トーンが示すときに、自宅広告内の元の広告の上にスプライシングされる。スプライシングの後、「再パケット化」プロセス２１４を介してＲＴＰヘッダがパケット上に再び追加される。ビデオ・キャッシュ・サーバ２１５は、顧客の自宅に配布して、顧客のＳｅｔ  Ｔｏｐ  Ｂｏｘ  ２１６を介して顧客のＴＶ上で閲覧するために、線形ビデオ・コンテンツをキャッシュする。
【００１６】
例示的実施形態は、ＩＰＴＶシステム加入者母集団内の特定の行動の人口統計ならびにＩＰＴＶ加入者母集団内の特定の人口統計の行動を確認するための柔軟性を実現する。全国ハブ・オフィス１０１（ＳＨＯ）は、衛星補足、受信機能、ベースバンド信号処理／切換え／冗長性、符号化、ビデオ・オンデマンドＶｏＤ取得／取入れ機構からなる単一のオフィス位置でよい。この位置は、ＩＰＴＶネットワーク全体についてのすべての線形ストリーム・マルチキャスト信号およびユニキャストＶｏＤを提供する。地域ハブ・オフィス１０３は、オフエア・アンテナおよび受信装置、ベースバンド信号処理／切換え／冗長性、符号化、ならびにサーバに向かうＶｏＤ顧客からなる複数のオフィス位置である。地域ハブ・オフィスは、（線形地域ハブ・オフィス信号と結び付いて）すべてのオフエア・ローカル・マルチキャスト信号を供給する。
【００１７】
次に図３を参照すると、例示的実施形態において、ブロック３０１で、広告クライアントが、サービス・プロバイダ販売エージェントと連絡を取る。ブロック３０２で、ＩＰＴＶサービス・プロバイダに関する広告トラフィックおよび管理部門が、広告スポットに対する提案を生成する。ブロック３０３で、広告クライアントは、広告スポットがターゲットとすべき行動特徴および／または人口統計特徴に基づいて、ＩＰＴＶ加入者母集団のセグメントを選択する。
【００１８】
広告顧客とＩＰＴＶサービス・プロバイダのトラフィック販売部門が、ＩＰＴＶ加入者母集団の選択されたセグメントをターゲットとする広告スポットに合意する。広告クライアントは、番組視聴、一定のタイプの商品またはサービスの購入、視聴時間帯などの行動データに基づいて、あるいは話す言語、年齢、性別、地理的位置などの人口統計に基づいて、ＩＰＴＶ加入者母集団の特定のセグメントをターゲットとすることができる。ブロック３０５で、ＩＰＴＶサービス・プロバイダのトラフィックおよび課金部門が提案を生成し、提案をＩＰＴＶスケジュール広告およびコンテンツ時間システムに転送する。この時点で、ＩＰＴＶ加入者母集団の特定の人口統計または行動特徴をターゲットとするように広告スポットが選択されており、特定の時刻にターゲット・セグメントに関連するクライアント識別子に挿入および配信されるようにスケジューリングされる。ブロック３０７で、広告クライアント顧客が広告コンテンツを開発する。広告コンテンツは、広告コンテンツがターゲット・セグメントに訴えるようにＩＰＴＶ加入者母集団のターゲット・セグメントに従って開発される。ブロック３０８で、広告顧客は、広告コンテンツをＩＰＴＶサービス・プロバイダに転送する。ブロック３０９で、特定の行動ターゲット広告がＨ．２６４フォーマットで符号化され、ブロック３１０で、Ｈ．２６４符号化広告が、ＩＰＴＶシステム内の広告サーバ上に格納される。ブロック３１１で、広告コンテンツが地域ＶＨＯキャッシュ・サーバに配布され、ブロック３１６では今や、セット・トップ・ボックスに配信されるビデオにスプライシングされる準備ができている。
【００１９】
ブロック３１２で、ＩＰＴＶサービス・プロバイダは、ライブ・コンテンツまたは格納された番組を提供する。ブロック３１３で、ビデオ・コンテンツ・データが、コンテンツ・サーバによって調節され、広告データ・ダウン・ストリームの挿入のためにキュー・トーンが挿入される。ブロック３１４で、ビデオ・コンテンツ・データが地域キャッシュ・サーバから配布され、ブロック３１５で、キュー・トーンが生成される。ブロック３１６で、ターゲット広告データが、セット・トップ・ボックスに配信されるビデオ・データにスプライシングされる。ターゲット広告データをセット・トップ・ボックスに配信し、セット・トップ・ボックスで、セット・トップ・ボックスに配信されるビデオ・データに挿入することもでき、またはセット・トップ・ボックスに配信する前にターゲット広告データをビデオにスプライシングすることもできる。ブロック３１７で、広告が挿入されたビデオが、セット・トップ・ボックスまたは他のクライアント装置に関連するディスプレイで閲覧される。
【００２０】
ブロック３１８で、ＩＰＴＶシステムは、ターゲット広告データの配信、および広告の配信中の切換え活動を監視し、広告顧客に対する「ａｓ  ｒｕｎ／ｐｌａｙｅｄ」レポートを生成する。広告「ａｓ  ｒｕｎ／ｐｌａｙｅｄ」レポートは、広告の成功、すなわちターゲット広告を受信したＩＰＴＶ母集団内の加入者数と、ターゲット広告を受信した、ターゲットとするＩＰＴＶ母集団セグメント内の加入者数と、ターゲット広告を受信し、ターゲット広告の配信中にチャネルを切り換えなかった、母集団および全母集団から選択されたセグメントのそれぞれの中の加入者数と、ターゲット広告データが加入者によって受信されたときに加入者がターゲット広告データから切換えを行った時刻とを含むことができる。
【００２１】
ブロック３１９で、ａｓ  ｒｕｎ／ｐｌａｙｅｄレポートで示されるような広告の成功に基づいて広告顧客に課金するインボイスが生成される。広告クライアントに対するインボイスは、広告の成功、すなわち、どれほどの加入者がターゲット広告データを受信したか、広告データを受信するようにターゲットとされたＩＰＴＶ加入者母集団の選択されたセグメント内で、どれほどの加入者がターゲット広告データを受信したか、およびターゲットとされたどれほどの加入者がチャネルを切り換えることなく広告データを完全に受信したかに基づくことができる。
【００２２】
次に図４を参照すると、図４は、加入者に表示すべき広告のタイプを決定する際に使用される加入者行動の収集のためのプロセス・フローを示す。４０１で、加入者に関連するＳＴＢまたは別のクライアント装置が、ユーザの閲覧および行動データを収集する。クライアント装置／ＳＴＢはまた、ＳＴＢを介して任意のウェブまたは他のタイプの使用活動をも収集する。４０２で、このデータがプロファイル／行動データベースに転送される。４０３で、生の行動およびプロファイル・データが処理され、４０４で、メトリック、または特定のターゲット広告コンテンツを求める要求がトラフィックおよび課金アプリケーションに送信される。次いで、４０５で、ターゲット広告データが広告サーバに送信される。次いで、ターゲット広告データがスプライシングされ、加入者に関連するＳＴＢまたは別のクライアント装置に送信される。
【００２３】
次に図５を参照すると、例示的実施形態において、自宅広告サーバ５０６に関連するホーム・ゾーン５０１と、移動クライアント装置および移動サーバ５０６に関連する移動ゾーン５０３が示されている。例示的実施形態では、移動ゾーン５０３内の移動クライアント装置５０８は、移動サーバ５０６に対する要求を発行し、ホーム・ゾーン５０１内の自宅広告サーバ５０６から自宅広告を受信する。自宅広告サーバを特定のクライアントに関する自宅位置と関連付けることができ、中間オフィスＩＯ５０６、ＶＨＯ地域サーバ５０４、または全国サーバＳＨＯ  ５０２内に自宅広告サーバを配置することができる。したがって、ＳＨＯ、ＶＨＯ、またはＩＯ内に広告サーバを配置することができ、広告サーバは、ＩＰＴＶシステム内のセット・トップ・ボックスに関する登録アドレスに関係する自宅広告コンテンツを含む。ＩＯ、ＶＨＯ、およびＳＨＯの間に論理的かつ／または物理的に自宅広告サーバ５０６を分散させることができ、自宅広告サーバ５０６は、ホーム・ゾーン５０１内の居住者宛ての、または移動ゾーン内の移動クライアント装置宛ての全国的広告、地域的広告、およびローカル広告を含むことができる。移動クライアント装置サインイン５０８が移動サーバ５０６にサインインするとき、移動クライアントの識別が、ＩＰＴＶサーバ（ＳＨＯ、ＶＨＯ、またはＩＯ）内のＩＰＴＶシステム加入者データベース３２４と再び結び付けられ、ＩＰＴＶシステムにサインオンする際に使用されたクライアント装置についてのログオンＩＤまたはＭＡＣアドレスによって移動クライアントを識別する。移動クライアントについてのこの識別が、ＳＨＯ、ＶＨＯ、またはＩＯ内に保つことのできるＩＰＴＶ登録データベース３２４に結び付けられる。登録データベースは、自宅住所または自宅５１０内のセット・トップ・ボックスについての登録住所などの加入者についてのプロファイルを含む。図５に示されるように、各セット・トップ・ボックスＩＯ、ＶＨＯ、およびＳＨＯ、ならびに移動クライアントは、プロセッサ３２０、メモリ３２２、およびデータベース３２４を含む。
【００２４】
要求が移動クライアントから移動サーバで受信されるとき、ＩＰＴＶシステムは、移動クライアント装置の登録した自宅住所に関連する広告を含む自宅広告サーバを探索する。こうした自宅広告が収集され、ユニキャストで自宅広告サーバから移動サーバにサービスされる。所定のしきい数より多くの移動クライアント装置が同一の移動サーバを介して同一の自宅広告サーバ・コンテンツを要求した場合、自宅広告サーバ・コンテンツが、特定の移動サーバ５０６に自宅広告を要求した多数の移動クライアント装置にマルチキャストされる。同様に、複数の移動サーバが特定のＶＨＯによってサービスされ、同一の自宅広告コンテンツを要求している場合、ＩＯ、ＶＨＯ、またはＳＨＯに位置する自宅広告サーバから、移動クライアント装置に関連する移動サーバに自宅広告コンテンツをユニキャストすることができる。次いで、要求側自宅サーバは、自宅広告コンテンツを要求側移動クライアント装置にユニキャストまたはマルチキャストすることができる。所定のしきい数の移動クライアント装置、例えば２つの移動クライアント装置が同一の移動ゾーン内で同一の自宅広告コンテンツを要求したときにはいつでも、自宅広告コンテンツが移動サーバからマルチキャストされる。ネットワーク負荷条件および利用可能な帯域幅、またはＩＰＴＶサービス・プロバイダによって選択される他の条件に基づいて所定のしきい値を選択することができる。
【００２５】
例示的実施形態では、サービス・プロバイダは、クライアント装置から、行動データ、統計、および広告視聴統計を収集する。広告クライアントは、加入者プロファイル内のこうした統計を閲覧し、またはこうした統計を加入者プロファイルと共に閲覧して、加入者母集団の人口統計データと、加入者人口統計についての関連する閲覧習慣とを確認することができる。広告クライアントは、統計からの選択ターゲットを購入して、特定の人口統計母集団をターゲットとすることができる。次いで、広告クライアントは、ＳＰ行動統計および人口統計から選択された、ターゲットとする人口統計母集団に適していると広告クライアントがみなす広告を提供する。次いで、サービス・プロバイダは、広告クライアントによって選択された、ターゲットとする人口統計グループに広告を送信する。広告クライアントによって選択された人口統計母集団のみを排他的に広告のターゲットとすることができ、または広告は、加入者に広告を送信する際の非排他的制約を含むことができる。
【００２６】
サービス・プロバイダは、どの広告が視聴され、誰によってどの広告が完全に視聴されたかを報告する。広告中にチャネルまたはＩＰアドレスを変更することなく広告がクライアント装置で受信されたとき、広告は「完全に視聴された」とみなされる。完全には視聴されなかった広告は、クライアント装置に広告を配信中にチャネルの変更が行われた広告である。したがって、ＳＰは、ターゲットとするグループに伴う広告の成功（すなわち、クライアント装置に配信された広告の量、ターゲットとするクライアント装置に配信された広告の量、完全に視聴された広告など）、すなわちターゲットとする人口統計グループのうちのどれほどが実際に広告を受信したか、およびターゲットとする人口統計グループのうちのどれほどが実際に広告を完全に視聴したかを報告することができる。広告クライアントは、広告の成功に基づいて支払いを行うことをサービス・プロバイダと合意することができる。例示的実施形態では、ＩＰＴＶシステムは、どれほどの移動加入者がターゲット広告を受信するか、およびどれほどの移動加入者がターゲット広告を完全に受信するかを追跡する。
【００２７】
広告の成功を、ターゲットとする人口統計内のヒット数（広告を受信する、ターゲットとする装置の数量）と、コマーシャルが完全に、すなわちコマーシャル中に切り換えることなく視聴された、ターゲットとする人口統計エリア内のヒット数（ＩＰアドレスまたはチャネルを切り換えることなく広告を完全に受信する、ターゲットとする装置の数量）との組合せと定義することができる。こうした成功測定法およびターゲット広告は、特定の人口統計内のＩＰＴＶシステム加入者に関連する移動クライアント装置に適用される。したがって、広告の成功は、ターゲットとする人口統計内にいるデータベース内のＩＰＴＶ加入者に関連する移動クライアント装置を含むことができる。ターゲットとする加入者に関連する移動クライアント装置は、ホーム・ゾーンの外部の移動ゾーン内にある間は、そのホーム・ゾーンからターゲット広告を受信することができ、こうした統計がサービス・プロバイダによって報告され、広告クライアントがターゲットとする人口統計内の加入者に提供される広告の成功に基づいて、広告クライアントに課金される。
【００２８】
次に図６を参照すると、例示的実施形態で使用されるデータ構造が示されている。図６に示されるように、データ構造６００は、クライアントＩＤフィールド６０２、ホーム・ゾーン・フィールド６０４、移動ゾーン・フィールド６０６、パッケージＩＤフィールド６０８、ゾーン・サーバ・フィールド６１０、および完全に視聴された広告フィールド６１２を含む。移動中にクライアントＩＤで識別されるクライアント装置にコンテンツを配信するために、同一のホーム・ゾーンおよび同一の移動ゾーンを有するクライアントＩＤ間を相関させるため、またはそのクライアントＩＤを突き合わせるために、複数の異なるクライアント装置６２０および６２２のための複数のデータ構造をメモリ内に格納することもできる。
【００２９】
クライアントＩＤフィールドは、ＩＰＴＶネットワーク・データベース内の特定の加入者および特定の加入者プロファイルに関連するクライアント装置識別を示すデータを含む。ホーム・ゾーン・フィールドは、クライアント装置に関連するホーム・ゾーンに関する広告サーバを示すデータを含む。移動ゾーン・フィールドは、クライアント装置に関連する移動ゾーンを示すデータを含む。
【００３０】
パッケージ識別子フィールドは、クライアント装置に送信する広告の量を決定するためのクライアント装置用のＩＰＴＶパッケージを示すためのデータを含む。様々なレベルの広告を送信することができる。ＩＰＴＶサービスの購入に対するクレジットが、クライアント装置でユーザによって視聴される広告について調節される。クライアント装置が完全に受信および視聴する広告が多くなるほど、クライアント装置が受信する、ＩＰＴＶサービスに対する支払いに対するクレジットも多くなる。クライアント装置が、広告の受信中に別のＩＰアドレスに切り換えることなくコンテンツに挿入された広告を受信するとき、広告が完全に視聴されたとみなされる。広告中の切換え／切換えなしが、クライアント装置または移動サーバによって監視され、データ構造内に格納される。広告受信済みフィールドは、ホーム・ゾーンに関連するホームＩＰＴＶサーバに送信する統計を作成するために、クライアント装置がターゲット広告データから切り換えることなくどの広告を完全に受信したかを示すデータを格納する。
【００３１】
次に図７を参照すると、図７は、１組の命令が、実行されたときに本明細書で開示される方法のうちの任意の１つまたは複数をマシンに実行させることができるコンピュータ・システム７００の形態のマシンの図である。ある実施形態では、マシンはスタンドアロン装置として動作する。ある実施形態では、マシンを（例えばネットワークを使用して）他のマシンに接続することができる。ネットワーク化された配置では、マシンは、サーバ−クライアント・ユーザ・ネットワーク環境内のサーバまたはクライアント・ユーザ・マシンとして、またはピアツーピア（または分散）ネットワーク環境内のピア・マシンとして動作することができる。マシンは、サーバ・コンピュータ、クライアント・ユーザ・コンピュータ、パーソナル・コンピュータＰＣ、タブレットＰＣ、セット・トップ・ボックスＳＴＢ、携帯情報端末ＰＤＡ、携帯電話、モバイル装置、パームトップ・コンピュータ、ラップトップ・コンピュータ、デスクトップ・コンピュータ、携帯情報端末、通信装置、ワイヤレス電話、有線電話、制御システム、カメラ、スキャナ、ファクシミリ・マシン、プリンタ、ページャ、個人認証装置、ウェブ・アプライアンス、ネットワーク・ルータ、交換機またはブリッジ、あるいは、そのマシンが行うべき動作を指定する１組の命令を（順次に、あるいはその他の方式で）実行することのできる任意の装置を含むことができる。本発明が、音声通信、ビデオ通信、またはデータ通信を実現する、概して任意の電子装置を含むことを理解されよう。さらに、単一のマシンが示されるが、「マシン」という用語は、１組の（または複数の組の）命令を個々に、または一緒に実行して、本明細書で論じられる方法のうちの任意の１つまたは複数を実施するマシンの任意の集合を含むように理解することもできるものとする。
【００３２】
コンピュータ・システム７００は、バス７０８を介して互いに通信することのできるプロセッサ７０２（例えば中央演算処理装置ＣＰＵ、グラフィックス処理装置ＧＰＵ、またはその両方）、メイン・メモリ７０４、および静的メモリ７０６を含むことができる。コンピュータ・システム７００は、ビデオ・ディスプレイ・ユニット７１０（例えば液晶ディスプレイＬＣＤ、フラット・パネル、固体ディスプレイ、または陰極線管ＣＲＴをさらに含むことができる。コンピュータ・システム７００は、入力装置７１２（例えばキーボード）、カーソル制御装置７１４（例えばマウス）、ディスク・ドライブ・ユニット７１６、信号発生装置７１８（例えばスピーカまたはリモート・コントロール）、およびネットワーク・インターフェース装置７２０を含むことができる。
【００３３】
ディスク・ドライブ・ユニット７１６は、本明細書の上記で示された方法を含む、本明細書に記載の方法または機能のうちの任意の１つまたは複数を実施する１つまたは複数の組の命令（例えばソフトウェア７２４）が格納される機械可読媒体７２２を含むことができる。命令７２４はまた、コンピュータ・システム７００による実行中に、メイン・メモリ７０４、静的メモリ７０６、および／またはプロセッサ７０２内に完全に、または少なくとも部分的に常駐することもできる。メイン・メモリ７０４およびプロセッサ７０２はまた、コンピュータ可読媒体を構成することもできる。同様に、限定はしないが、特定用途向け集積回路、プログラマブル論理アレイ、および他のハードウェア装置を含む専用ハードウェア実装を、本明細書に記載の方法を実装するように構築することができる。様々な実施形態の装置およびシステムを含むことのできる応用例は、概して、様々な電子システムおよびコンピュータ・システムを含む。ある実施形態は、２つ以上の特定の相互接続されたハードウェア・モジュールまたは装置内の機能を、モジュール間で、およびモジュールを介して通信される関連制御信号およびデータ信号と共に実装し、あるいは特定用途向け集積回路の各部分として実装する。したがって、例示的システムは、ソフトウェア実装、ファームウェア実装、およびハードウェア実装に適用可能である。
【００３４】
本発明の様々な実施形態によれば、本明細書に記載の方法が、コンピュータ・プロセッサで実行中のソフトウェア・プログラムとして動作することが意図される。さらに、ソフトウェア実装は、限定はしないが、分散処理またはコンポーネント／オブジェクト分散処理、並列処理を含むことができ、あるいは仮想マシンを構築して本明細書に記載の方法を実装することもできる。
【００３５】
本発明は、命令７２４を含む機械可読媒体、あるいは伝播信号からの命令７２４を受信および実行し、その結果、ネットワーク環境７２６に接続された装置が、音声、ビデオ、またはデータを送信または受信することができ、命令７２４を使用してネットワーク７２６を介して通信することができる機械可読媒体を企図する。さらに、ネットワーク７２６を介してネットワーク・インターフェース装置７２０経由で命令７２４を送信または受信することができる。
【００３６】
例示的実施形態では、機械可読媒体７２２が単一の媒体であるように示されるが、「機械可読媒体」という用語は、１つまたは複数の組の命令を格納する単一の媒体または複数の媒体（例えば、集中型または分散型データベース、ならびに／あるいは関連するキャッシュおよびサーバ）を含むように理解されるべきである。「機械可読媒体」という用語はまた、マシンによって実行される１組の命令を格納、符号化、または搬送することができ、本発明の方法のうちの任意の１つまたは複数をマシンに実施させる任意の媒体を含むように理解されるものとする。したがって、「機械可読媒体」という用語は、限定はしないが、１つまたは複数の読取り専用（不揮発性）メモリ、ランダム・アクセス・メモリ、または他の再書込み可能（揮発性）メモリを収容するメモリ・カードまたは他のパッケージなどの固体メモリ、ディスクやテープなどの光磁気媒体または光媒体、伝送媒体中の、コンピュータ命令を実施する信号などの搬送波信号、ならびに／あるいは有形記憶媒体と等価な配布媒体とみなされる、Ｅメールに対するデジタル・ファイル添付または他の独立情報アーカイブまたはアーカイブの組を含むように理解されるものとする。したがって、本発明は、本明細書のソフトウェア実装が格納される、本明細書で列挙され、当技術分野で理解されている均等物および後継媒体を含む機械可読媒体または配布媒体のうちの任意の１つまたは複数を含むとみなされる。
【００３７】
本明細書は、特定の標準およびプロトコルを参照して、特定の実施形態として実装される構成要素および機能を説明するが、例示的実施形態はそのような標準およびプロトコルに限定されない。インターネットおよび他のパケット交換ネットワーク伝送（例えばＴＣＰ／ＩＰ、ＵＤＰ／ＩＰ、ＨＴＭＬ、およびＨＴＴＰ）に関する各標準は、現況技術の例を表す。そのような標準は周期的に、本質的に同一の機能を有する、より高速または効率的な均等物に取って代わられる。したがって、同一の機能を有する代替の標準およびプロトコルは、均等物とみなされる。
【００３８】
本明細書に記載の実施形態の図は、様々な実施形態の構造の一般的な理解を与えることが意図され、図が、本明細書に記載の構造を利用することのできる機器およびシステムのすべての要素および機能の完全な説明としての役割を果たすことは意図されない。上記の説明を検討するときに、多数の他の実施形態が当業者には明らかとなるであろう。上記の説明から他の実施形態を利用および導出することができ、それによって、本開示の範囲から逸脱することなく構造的および論理的な置換および変更を行うことができる。図は代表的なものに過ぎず、原寸に比例していない可能性がある。図のある部分が誇張される可能性があり、他の部分が最小限に抑えられる可能性がある。したがって、本明細書および図面は、限定的な意味にではなく、例示的な意味とみなされるべきである。
【００３９】
本明細書では、便宜上、本願の範囲を何らかの特定の単一の発明または発明の概念に自発的に限定することを意図することなく、実際複数が開示されている場合、本発明の主題のそのような実施形態が、個々に、かつ／または集合的に「例示的実施形態」という用語で参照される可能性がある。したがって、本明細書で特定の実施形態を図示し、説明したが、図示した特定の実施形態の代わりに、同一の目的を達成するように考慮された任意の構成を使用できることを理解されたい。本開示は、様々な実施形態の任意かつすべての適合または変形を包含するものとする。上記の実施形態の組合せ、および本明細書に具体的には説明されていない他の実施形態が、上記の説明を検討する際に当業者には明らかとなるであろう。
【００４０】
要約書が、技術的開示の性質を読者が迅速に確認することを可能にする要約を要求する３７  Ｃ．Ｆ．Ｒ．§１．７２（ｂ）に準拠するように与えられる。要約書は、特許請求の範囲の範囲および意味を解釈または限定するためには使用されないという理解と共に提示される。さらに、上記の詳細な説明では、開示を簡潔にするために、様々な特徴が単一の実施形態として互いにグループ化されることを理解することができる。この開示の方法は、特許請求される実施形態が各請求項で明白に記載されるものよりも多くの特徴を必要とするという意図を反映するものと解釈されるべきではない。むしろ、以下の特許請求の範囲が反映するように、本発明の主題は、単一の開示される実施形態のすべての特徴未満のものの中にある。したがって、以下の特許請求の範囲は、本明細書によって詳細な説明に組み込まれ、各請求項は別々の実施形態として自立する。
【００４１】
いくつかの例示的実施形態を参照しながら例示的実施形態を説明したが、使用した語は限定の言葉ではなく、説明および例示の言葉であることを理解されたい。例示的実施形態の範囲および精神から逸脱することなく、現在記載され、補正されている添付の特許請求の範囲内で、その態様の点で変更を行うことができる。特定の手段、材料、および実施形態を参照しながら例示的実施形態を説明したが、本発明は、開示される詳細に限定されないものとする。むしろ、本発明は、添付の特許請求の範囲内にあるような、すべての機能的に等価な構造、方法、および用途に拡張される。
【００４２】
この例示的実施形態の様々な実施形態によれば、本明細書に記載の方法は、コンピュータ・プロセッサ上で実行中のソフトウェア・プログラムとして動作することが意図される。同様に、限定はしないが、特定用途向け集積回路、プログラマブル論理アレイ、および他のハードウェア装置を含む専用ハードウェア実装を、本明細書に記載の方法を実装するように構築することができる。さらに、限定はしないが、分散処理またはコンポーネント／オブジェクト分散処理、並列処理、あるいは仮想マシン処理を含む代替ソフトウェア実装を、本明細書に記載の方法を実装するように構築することもできる。
【図１】
2010500646.tif 000003
【図２】
2010500646.tif 000004
【図３】
2010500646.tif 000005
【図４】
2010500646.tif 000006
【図５】
2010500646.tif 000007
【図６】
2010500646.tif 000008
【図７】
2010500646.tif 000009
【国際調査報告】
2010500646.tif 000010